(57)【要約】【課題】着用状態において、安定した着用感と優れた密閉性を有するとともに、取付操作を容易に行うことのできる医療用マスクの提供。【解決手段】医療用マスク１０のマスク本体２０は、軟質弾性材料から形成されており、着用者の鼻孔２と口部３とを被覆する被覆部２１と、被覆部２１の後方周縁２１ａの全周から内方へ延びるリップ部２２と、被覆部２１の下端から後方へ延びる顎当て部２８とを有する。締紐３０は、１本の環状の弾性部材から形成されており、被覆部２１の両側部２６，２７の外面において前後方向Ｚへ延びる環状のサイド紐通し部５０と、顎当て部２８の外面において前後方向Ｚへ延びる環状の中央紐通し部６０とを介してマスク本体２０に連結される。締紐３０を着用者の頭部１に掛け回した状態において、締紐３０によって顎当て部２８が着用者の顎部４に押し当てられる。【選択図】図６
2019165854.tif 000002
【特許請求の範囲】
【請求項１】
上下方向と、横方向及び前後方向を有し、マスク本体と、前記マスク本体に連結された締紐とを備えた医療用マスクにおいて、
前記マスク本体は、軟質弾性材料から形成されており、着用者の鼻孔と口部とを被覆する被覆部と、前記被覆部の後方周縁の全周から内方へ延びるリップ部と、前記被覆部の下端から後方へ延びる顎当て部とを有し、
前記締紐は、１本の環状の弾性部材から形成されており、前記被覆部の両側部の外面において前記前後方向へ延びる環状の一対のサイド紐通し部と、前記顎当て部の外面において前記前後方向へ延びる環状の中央紐通し部とを介して前記マスク本体に連結されており、
前記締紐を前記着用者の頭部に掛け回した状態において、前記締紐によって前記顎当て部が前記着用者の顎部に押し当てられることを特徴とする前記医療用マスク。
【請求項２】
前記サイド紐通し部と前記中央紐通し部とは、前記マスク本体と一体的に成形されたものであって、それぞれ、前記締紐が挿通される挿通部と、前記締紐を前記挿通部に挿通させるためのスリットとを有し、前記サイド紐通し部の前記スリットは前端部側に位置し、前記中央紐通し部の前記スリットは後端部側に位置する請求項１に記載の医療用マスク。
【発明の詳細な説明】
【技術分野】
【０００１】
本発明は、医療用マスクに関する。
【背景技術】
【０００２】
従来、医療用及び衛生用のマスクは、公知である。例えば、特許文献１には、装着者の鼻孔と口部とを覆うことが可能な被覆部を有するマスク本体と、マスク本体に取り付けられて着用者の頭部に掛け回される締紐とを備えたマスクが開示されている。
【先行技術文献】
【特許文献】
【０００３】
【特許文献１】特開２０１２−１０９７４号公報
【０００４】
特許文献１に係るマスクにおいては、被覆部の下端側に着用者の顎部と対向する顎当て部が位置することによって、着用状態において着用者が口を動かしたときに顎当て部が顎部に当接して被覆部全体が上方へずれるのを防止することができる。また、マスク本体の両側縁部の上方及び下方に位置する紐通し部に挿通された上下一対の締め紐を着用者の頭部に掛け回すことによって着用することができる。
【０００５】
しかしながら、特許文献１に係るマスクにおいては、顎当て部が着用者の顎部を被覆する一方、常時当接されていないことから、着用中に顎部から位置ずれしてしまうおそれがある。
【０００６】
また、着用するときには、マスク本体の上方に位置する締め紐と下方に位置する締紐とを頭部に掛け回す必要があるので、例えば、ベッドに寝臥した状態のまま上半身を置き上げることのできない重度の患者に着用補助者がマスクを着用させる場合には、着用補助者が、一方の手で患者の頭部を支えた状態のままで他方の手で下方側の締紐を把持して掛け回した後に、上側の締紐を把持して掛け回す必要があり、手間である。
【発明の概要】
【発明が解決しようとする課題】
【０００７】
本発明は、従来の発明の改良であって、着用状態において、安定した着用感と優れた密閉性を有するとともに、取付操作を容易に行うことのできる医療用マスクの提供を課題としている。
【課題を解決するための手段】
【０００８】
本発明は、上下方向と、横方向及び前後方向を有し、マスク本体と、前記マスク本体に連結された締紐とを備えた医療用マスクに関する。
【０００９】
本発明に係る医療用マスクは、前記マスク本体は、軟質弾性材料から形成されており、着用者の鼻孔と口部とを被覆する被覆部と、前記被覆部の後方周縁の全周から内方へ延びるリップ部と、前記被覆部の下端から後方へ延びる顎当て部とを有し、前記締紐は、１本の環状の弾性部材から形成されており、前記被覆部の両側部の外面において前記前後方向へ延びる環状の一対のサイド紐通し部と、前記顎当て部の外面において前記前後方向へ延びる環状の中央紐通し部とを介して前記マスク本体に連結されており、前記締紐を前記着用者の頭部に掛け回した状態において、前記締紐によって前記顎当て部が前記着用者の顎部に押し当てられることを特徴とする。
【００１０】
本発明に係る医療用マスクの実施態様の一つにおいて、前記サイド紐通し部と前記中央紐通し部とは、前記マスク本体と一体的に成形されたものであって、それぞれ、前記締紐が挿通される挿通部と、前記締紐を前記挿通部に挿通させるためのスリットとを有し、前記サイド紐通し部の前記スリットは前端部側に位置し、前記中央紐通し部の前記スリットは後端部側に位置する。
【発明の効果】
【００１１】
本発明に係る医療用マスクにおいては、締紐が１本の環状の弾性部材から形成されており、被覆部の両側部の外面において前後方向へ延びる環状のサイド紐通し部と、顎当て部の外面において前記前後方向へ延びる環状の中央紐通し部とを介してマスク本体に連結されており、締紐を前記着用者の頭部に掛け回した状態において、締紐によって前記顎当て部が前記着用者の顎部に押し当てられることから、リップ部が顔面に密接されてマスク内部に供給された麻酔ガス等の気体が外部に漏れ出ることはなく、また、気体供給用のホースが接続された状態において安定して着用することができる。
【図面の簡単な説明】
【００１２】
図面は、本発明の特定の実施の形態を示し、発明の不可欠な構成ばかりでなく、選択的及び好ましい実施の形態を含む。
【図１】本発明に係る医療用マスクの着用状態を示す斜視図。
【図２】医療用マスクのマスク本体の正面図。
【図３】マスク本体の背面図。
【図４】図２のＩＶ−ＩＶ線に沿う断面図。
【図５】（ａ）サイド紐通し部の拡大図。（ｂ）中央紐通し部の拡大図。
【図６】着用状態における医療用マスクの側面図。
【図７】従来の医療用マスクの斜視図。
【発明を実施するための形態】
【００１３】
下記の実施の形態は、図１〜図６に示す医療用マスク１０に関し、発明の不可欠な構成ばかりでなく、選択的及び好ましい構成を含む。
【００１４】
図１〜３を参照すると、本発明に係る医療用マスク１０は、上下方向Ｙと、横方向Ｘと、前後方向Ｚと、カップ状のマスク本体２０と、マスク本体２０に連結された締紐３０とを有する。マスク本体２０は、着用者の肌に対向する内面２０ａとその反対側に位置する外面２０ｂと、着用者の鼻孔２と口部３とを被覆する被覆部（口鼻覆い部）２１と、被覆部２１の後方周縁２１ａの全周から内方に延びる環状のリップ部２２とを有する。被覆部２１とリップ部２２との間には、内部空間Ｓが画成されている。締紐３０を着用者の頭部１に掛け回すことによって、マスク本体２０のリップ部２２が顔面に密接されて鼻孔２と口部３とが内部空間Ｓ内に位置する。
【００１５】
マスク本体２０は、マスク本体（又は被覆部２１）２０の両側部２６，２７に位置する一対のサイド紐通し部５０と、顎当て部２８に位置する中央紐通し部６０とを有する。締紐３０は、１本の環状の弾性部材から形成されており、サイド紐通し部５０と中央紐通し部６０を介してマスク本体２０と摺接可能にかつ安定して連結されている。締紐３０は、サイド紐通し部５０間に位置して着用者の頭部１に掛け回される上側部分３０Ａと、マスク本体２０の下側部分を横断するように、サイド紐通し部５０から中央紐通し部６０を通過して他方のサイド紐通し部５０まで延びる下側部分３０Ｂとを有する。
【００１６】
マスク本体２０は、中央部２３と、上下方向Ｙにおいて対向して横方向Ｘへ延びる上下端部２４，２５と、横方向Ｘにおいて互いに対向して上下方向Ｙへ延びる両側部２６，２７とを有する。マスク本体２０の上端部２４は、下端部２５に比べて幅狭であって、上方へ凸曲した形状を有する。
【００１７】
マスク本体２０は、被覆部２１の下端から後方へ延びる立体形状の顎当て部２８をさらに有する。顎当て部２８は、着用状態において着用者の顎部４と対向して位置する。顎当て部２８の外周縁は、リップ部２２の下端縁に沿う曲状の前端縁２８ａと、被覆部２１の両側部２６，２７に位置するサイド挿通部５０の下方から後方へ下り勾配に延びる両側縁２８ｂ，２８ｃと、前方へ凹曲するように湾曲した後端縁２８ｄとから画成される。
【００１８】
リップ部２２は、被覆部２１の後方周縁２１ａの全周から内方へ延びる、着用者の顔面に密接される内周壁部４０と、内周壁部４０に囲まれた開口４１とを有する。内周壁部４０は、着用者の顔面形状に沿う立体形状を有していて、内周壁部４０の上端部４２は、着用者の鼻部の鼻背にフィットするように前方へ屈曲した形状を有し、内周壁部４０の下端部４３は、着用者の顎部にフィットするように前方へ凸曲した形状を有する。
【００１９】
図２，４を参照すると、マスク本体２０の中央部２３の外面には、気体導入部４５が配置されている。気体導入部４５は、マスク本体２０の外面から前方へ突出する中空円筒状であって、開口端部４５ａと、内部空間Ｓに連通する気体導入口４５ｂを有する。気体導入部４５の開口端部４５ａに気体供給用のホース８の端部８ａを取り付けて、気体導入口４５ｂを介して麻酔ガスや酸素等の気体を内部空間Ｓへ送り出すことによって、着用者の気道にこれらの気体を供給することができる。
【００２０】
マスク本体２０は、ポリカーボーネート等の硬質プラスチック材料、フッ素ゴム、ウレタンゴム、シリコーンゴム等の柔軟性に優れた透明又は半透明の軟質弾性材料等から形成することができる。マスク本体２０の被覆部２１、リップ部２２及び顎当て部２８をこれらの材料によって一体的に成形することもできるが、それぞれ別体に成形して、公知の接着又は溶着手段によって互いに接合してもよい。ただし、少なくともリップ部２２及び顎当て部２８は柔軟性に優れた材料から形成されていることが好ましく、例えば、被覆部２１のみを硬質プラスチック材料によって形成し、リップ部２２及び顎当て部２８を軟質弾性材料から形成することもできる。また、マスク本体２０が透明又は半透明であることによって、看護師等の着用補助者は、患者等の着用者の表情を確認することができる。
【００２１】
締紐３０には、ストランド状のゴム紐等からなる紐状弾性体や平ゴム等の所要の厚さ寸法を有する帯状弾性体を使用することができる。本実施形態においては、締紐３０によって顎当て部２８を着用者の顎部にフィットさせるために、帯状弾性体が使用されている。
【００２２】
図５（ａ）を参照すると、サイド紐通し部５０は、被覆部２１の外面から起立して前後方向Ｚへ延びる環状であって、前端部５１と、後端部５２と、前後端部５１，５２間に延びるフラップ部（中間部）５３と、後端部５２とフラップ部５３とに囲まれた締紐３０を挿通するための挿通部５４とを有する。サイド紐通し部５０のフラップ部５３は、後端部５２から屈曲部分５５を介して前方へ延びており、前端部５１とフラップ部５３との間には、締紐３０を挿通部５４に進入させるためのスリット５６が位置している。
【００２３】
図５（ｂ）を参照すると、中央紐通し部６０は、顎当て部２８の外面から起立して前後方向Ｚへ延びる環状であって、前端部６１と、後端部６２と、前後端部６１，６２間に延びるフラップ部（中間部）６３と、前端部６１とフラップ部６３とに囲まれた締紐３０を挿通するための挿通部６４とを有する。中央紐通し部６０のフラップ部６３は、前端部６１から屈曲部分６５を介して後方へ延びており、後端部６２とフラップ部６３との間には、締紐３０を挿通部６４に進入させるためのスリット６６が位置している。
【００２４】
図５（ａ）及び（ｂ）を参照すると、サイド紐通し部５０の長さ寸法（前後方向Ｚの寸法）Ｌ１と中央紐通し部６０の幅寸法（前後方向Ｚの寸法）Ｗ２とは、ほぼ同じ大きさである。これらの寸法Ｌ１，Ｗ２は、締紐３０の幅寸法を考慮して、締紐３０が挿通部５４，６４を挿通する程度の大きさを有するように設定されたものである。サイド紐通し部５０では、帯状の締紐３０が後方かつ上方ヘ引っ張られて幅入りした状態で屈曲部分５５に係止される一方、中央紐通し部６０においては締紐３０が幅入りすることはなく面状に顎当て部２８にフィットされるが、中央紐通し部６０の幅寸法Ｗ２が所定の大きさを有することから、フラップ部６３によって締紐３０の幅寸法全体を被覆することができる。
【００２５】
また、マスク本体２０の厚さ寸法は２．０〜３．０ｍｍ、リップ部２２及び顎当て部２８の厚さ寸法０．５〜１．５ｍｍである。このように、マスク本体２０が比較的に肉厚であることによって、着用者の顔面に対して安定的に保持される一方、リップ部２２と顎当て部２８とが比較的に肉薄であるから、顔面及び顎部４の形状に沿うように変形してフィットさせることができる。さらに、中央紐通し部６０の長さ寸法（幅方向Ｘの寸法）Ｌ２は、サイド紐通し部５０の幅寸法（上下方向Ｙの寸法）Ｗ１の１．５〜２．５倍の大きさを有する。中央紐通し部６０の長さ寸法Ｌ２が比較的に大きいことから、中央紐通し部６０の挿通部６４に締紐３０を挿通して引っ張ったときに、肉薄の顎当て部２８が大きく歪むのを抑制することができる。
【００２６】
図６を参照すると、医療用マスク１０の側面視においては、締紐３０は、サイド紐通し部５０の挿通部５４に挿通されて後方へ引き寄せられ、屈曲部分５５に当接した状態で斜め上方へ引っ張られており、上側部分３０Ａには上方へ向かう引張力Ｆ１が作用する。一方、締紐３０の下側部分３０Ｂは、中央紐通し部６０の挿通部６４に挿通されて、それよりも前方に位置するサイド紐通し部５０に向かって引っ張られていることから、斜め前方かつ上方に向かう引張力Ｆ２が作用する。
【００２７】
締紐３０の下側部分３０Ｂは、中央紐通し部６０の挿通部６４に挿通された状態において、斜め前方に位置する一対のサイド紐通し部５０へ向かって引っ張られた状態となることから、中央紐通し部６０においては、顎当て部２８を着用者の顎部４に向かって押し当てる押圧力Ｆ３が作用される。顎当て部２８は、柔軟弾性材料から形成されたものであって可撓性を有することから、下側部分３０Ｂの押圧力Ｆ３の作用によって、顎当て部２８は変形しながら顎部４に向かって押し当てられる。
【００２８】
このように、本発明に係る医療用マスク１０においては、マスク本体２０のリップ部２２が着用者の顔面に密接してシールされることによって、内部に供給された麻酔ガス等の気体が被覆部２１の後方周縁２１ａから外部に漏れ出ることはない。加えて、顎当て部２８が顎部４に押し当てられることから、着用中に顎当て部２８が顎部４から位置ズレすることなく、ホース８を連結した状態においても安定して着用することができる。したがって、医療用マスク１０は、マスク本体２０の後方周縁部２１ａから内側へ延びるリップ部２２によるダブルリップ構造のマスク本体２０と顎当て部２８とを備えることによって、マスク内部の密閉（シール）性と着用感とに優れる。
【００２９】
図７を参照すると、従来の医療用マスク１００は、マスク本体１２０と、マスク本体１２０にバックル１４０，１４１を介して取り付けられた取付手段１３０とを有する。取付手段１３０は、着用者の頭部１０１に掛け回される上側バンド１３１と、顔の下方側に掛け回される下側バンド１３２とを有し、マスク本体１２０の中央部分には、着用者の気道に麻酔ガスや酸素等の気体を供給するためのホース１０８が取り付けられている。かかる従来の医療用マスク１００においては、バックル１４０，１４１を介して着用者の身体に取り付ける必要があり、手間である。また、仰臥状態にある着用者に着用させる場合には、上下側バンド１３１，１３２をバックル１４０，１４２を介して順次止着操作している間はずっと着用者の頭を持ち上げたままになるので、着用者にとって負担となる。
【００３０】
本発明に係る医療用マスク１０においては、１本の締紐３０によって着用者の鼻孔２と口部３とを覆う被覆部２１と顎当て部２８とを着用者の顔面にフィットさせることができるので、取付操作を比較的に容易に行うことができる。例えば、仰臥状態にある着用者に取り付ける際には、着用補助者が着用者の頭部１を少し持ち上げてそのまま締紐３０を掛け回せばよいので、従来の医療用マスク１００のようにバックル式の上下側バンド１３１，１３２を介して頭部に掛け回す場合や複数の調整孔を有するゴムバンドを介して頭部に掛け回す場合に比べて、容易かつ素早く取り付け操作を行うことができる。また、頭部１を長い時間持ち上げる必要がないので、着用者の負担を軽減することができる。
【００３１】
サイド紐通し部５０のスリット５６は、締紐３０が係止される屈曲部分５５が位置する後端部５２とは反対側の前端部５１側に位置することから、締紐３０の後方かつ上方へ引っ張られる上側部分３０Ａがスリット５６から抜け出るのを抑制することができる。また、中央紐通し部６０のスリット６６は、締紐３０が位置する前端部６１とは反対側の後端部６２側に位置することから、前方かつ上方へ引っ張られる下側部分３０Ｂがスリット６６から抜け出るのを抑制することができる。締紐３０がスリット５６，６６側へ移動した場合であっても、締紐３０の脱落を防止するために、スリット５６，６６は、締紐３０の幅寸法よりも小さい幅寸法を有することが好ましい。また、サイド紐通し部５０の前端部５１と中央紐通し部６０の後端部６２とは、締紐３０が挿通部５４，６４から外れるのを防止するためのストッパーとして機能する。
【００３２】
サイド紐通し部５０と中央紐通し部６０とは、マスク本体２０と一体又は別体に成形されたものであって、可撓性を有することから、締紐３０にその係止を解除しようとする力が作用したときに、その力を吸収するように変形して、締紐３０が挿通部５４，６４から外れるのを抑制することができる。
【符号の説明】
【００３３】
１  頭部
２  鼻孔
３  口部
４  顎部
１０  医療用マスク
２０  マスク本体
２１  被覆部
２１ａ  被覆部の後方周縁
２２  リップ部
２６，２７  被覆部の両側部
２８  顎当て部
３０  締紐
５０  サイド紐通し部
５１  前端部
５４  挿通部
５６  スリット
６０  中央紐通し部
６２  後端部
６４  挿通部
６６  スリット
【図１】
2019165854.tif 000003
【図２】
2019165854.tif 000004
【図３】
2019165854.tif 000005
【図４】
2019165854.tif 000006
【図５】
2019165854.tif 000007
【図６】
2019165854.tif 000008
【図７】
2019165854.tif 000009